(57)【要約】【課題】災害発生時に建物内に人間がいる場合に建具を自動的に解錠状態とし、人間が避難しなかったり、設定時間後に避難した人間が帰って来た場合には建具を自動的に施錠状態にできる建具の錠制御システムとする。【解決手段】災害検出装置の災害検出信号と人間検出装置２の人間検出信号によって建具施錠解錠装置３を解錠動作して建具を解錠状態とし、この後任意の時間が経過した後に人間検出信号が出力されている場合には前記建具施錠解錠装置３を施錠動作して建具を施錠状態とする建具の錠制御システム。【選択図】図１
2006070644.tif 000002
【特許請求の範囲】
【請求項１】
災害検出装置と人間検出装置２と建具施錠解錠装置３を備え、
前記災害検出装置の災害検出信号と人間検出装置２の人間検出信号とによって建具施錠解錠装置３を解錠動作して建具を解錠状態とし、
この後、任意の時間が経過したら前記建具施錠解錠装置３を施錠動作して建具を施錠状態とすることを特徴とする建具の錠制御システム。
【請求項２】
災害検出装置と人間検出装置２と建具施錠解錠装置３を備え、
前記災害検出装置の災害検出信号と人間検出装置２の人間検出信号とによって建具施錠解錠装置３を解錠動作して建具を解錠状態とし、
この後、任意の時間が経過した後に人間検出装置２から人間検出信号が出力されていたら前記建具施錠解錠装置３を施錠動作して建具を施錠状態とすることを特徴とする建具の錠制御システム。
【請求項３】
建物１０に設けた災害検出装置と、この建物１０内の人間がいるための複数の区画された部分にそれぞれ設けた人間検出装置２と、前記建物１０の人間が逃げることが可能な大きさの複数の開口部に設けた建具をそれぞれ施錠解錠する複数の建具施錠解錠装置３を備え、
前記災害検出装置の災害検出信号と人間検出装置２の人間検出信号とによって、その人間検出信号を出力した人間検出装置２と近い建具施錠解錠装置３を解錠動作し、その建具を解錠状態とし、
この後、任意の時間が経過したら前記解錠している建具施錠解錠装置３を施錠動作し、その建具を施錠状態とすることを特徴とする建具の錠制御システム。
【請求項４】
建物１０に設けた災害検出装置と、この建物１０内の人間がいるための複数の区画された部分にそれぞれ設けた人間検出装置２と、前記建物１０の人間が逃げることが可能な大きさの複数の開口部に設けた建具をそれぞれ施錠解錠する複数の建具施錠解錠装置３を備え、
前記災害検出装置の災害検出信号と人間検出装置２の人間検出信号とによって、その人間検出信号を出力した人間検出装置２と近い建具施錠解錠装置３を解錠動作し、その建具を解錠状態とし、
この後、任意の時間が経過した後に人間検出装置２から人間検出信号が出力されていたら前記解錠している建具施錠解錠装置３を施錠動作し、その建具を施錠状態とすることを特徴とする建具の錠制御システム。
【発明の詳細な説明】
【技術分野】
【０００１】
本発明は、窓障子、出入口戸などの建物の開口部を開閉する建具を、地震等の災害に対応して自動的に解錠・施錠する建具の錠制御システムに関する。
【背景技術】
【０００２】
特許文献１に建具の錠制御システムが開示されている。
この建具の錠制御システムは、地震センサーと人間検出装置とドア電動解錠装置を備え、地震センサーの信号と人間検出装置の信号の２つの信号の組み合わせでドア電動解錠装置を作動して解錠するシステムである。
【０００３】
特許文献２に建具の錠制御システムが開示されている。
この建具の錠制御システムは、地震感知器と、ドアを施錠、解錠する施錠機構と、コントローラを備え、コントローラは地震感知信号を受けたときに施錠機構を解錠するシステムである。
【０００４】
【特許文献１】特開平８−２４６７２７号公報
【特許文献２】特開２００１−３３６３２６号公報
【発明の開示】
【発明が解決しようとする課題】
【０００５】
前述した特許文献１、特許文献２に開示した建具の錠制御システムは、地震が発生した時に解錠するシステムで、人間が施錠操作しなければ解錠されたままである。
このために、防犯上好ましくない。特に地震が発生した時に人間が室外に逃げず、室内に居続けた場合や避難した人間が帰って来た場合等には人間が施錠操作するまで解錠状態であり、防犯上好ましくない。
【０００６】
本発明の目的は、災害発生時に建物の内に人間がいる場合には建具を自動的に解錠状態とし、その後自動的に施錠状態とするようにした建具の制御システムを提供することである。
【課題を解決するための手段】
【０００７】
第１の発明は、災害検出装置と人間検出装置２と建具施錠解錠装置３を備え、
前記災害検出装置の災害検出信号と人間検出装置２の人間検出信号とによって建具施錠解錠装置３を解錠動作して建具を解錠状態とし、
この後、任意の時間が経過したら前記建具施錠解錠装置３を施錠動作して建具を施錠状態とすることを特徴とする建具の錠制御システムである。
【０００８】
第２の発明は、災害検出装置と人間検出装置２と建具施錠解錠装置３を備え、
前記災害検出装置の災害検出信号と人間検出装置２の人間検出信号とによって建具施錠解錠装置３を解錠動作して建具を解錠状態とし、
この後、任意の時間が経過した後に人間検出装置２から人間検出信号が出力されていたら前記建具施錠解錠装置３を施錠動作して建具を施錠状態とすることを特徴とする建具の錠制御システムある。
【０００９】
第３の発明は、建物１０に設けた災害検出装置と、この建物１０内の人間がいるための複数の区画された部分にそれぞれ設けた人間検出装置２と、前記建物１０の人間が逃げることが可能な大きさの複数の開口部に設けた建具をそれぞれ施錠解錠する複数の建具施錠解錠装置３を備え、
前記災害検出装置の災害検出信号と人間検出装置２の人間検出信号とによって、その人間検出信号を出力した人間検出装置２と近い建具施錠解錠装置３を解錠動作し、その建具を解錠状態とし、
この後、任意の時間が経過したら前記解錠している建具施錠解錠装置３を施錠動作し、その建具を施錠状態とすることを特徴とする建具の錠制御システムある。
【００１０】
第４の発明は、建物１０に設けた災害検出装置と、この建物１０内の人間がいるための複数の区画された部分にそれぞれ設けた人間検出装置２と、前記建物１０の人間が逃げることが可能な大きさの複数の開口部に設けた建具をそれぞれ施錠解錠する複数の建具施錠解錠装置３を備え、
前記災害検出装置の災害検出信号と人間検出装置２の人間検出信号とによって、その人間検出信号を出力した人間検出装置２と近い建具施錠解錠装置３を解錠動作し、その建具を解錠状態とし、
この後、任意の時間が経過した後に人間検出装置２から人間検出信号が出力されていたら前記解錠している建具施錠解錠装置３を施錠動作し、その建具を施錠状態とすることを特徴とする建具の錠制御システムある。
【発明の効果】
【００１１】
請求項１に係る発明によれば、災害発生時に建物の内に人間がいる場合には建具を自動的に解錠状態とし、その後に任意の時間が経過したら建具を自動的に施錠状態とする。
したがって、災害発生時に建物内の人がスムーズに避難できるし、防犯上好ましい。
【００１２】
請求項２に係る発明によれば、災害発生時に建物の内に人間がいる場合には建具を自動的に解錠状態とし、その後に人間が建物内に居続けた場合や避難した人間が帰って来た場合等には建具を自動的に施錠状態とする。
したがって、災害発生時に建物内の人がスムーズに避難できるし、防犯上好ましい。
【００１３】
請求項３に係る発明によれば、請求項１に係る発明と同様である。
また、建物内にいる人間に近い建具が解錠状態となるので、建物内の人がスムーズに避難できる。
【００１４】
請求項４に係る発明によれば、請求項２に係る発明と同様である。
また、建物内にいる人間に近い建具が解錠状態となるので、建物内の人がスムーズに避難できる。
【発明を実施するための最良の形態】
【００１５】
本発明の第１の実施の形態を図１に基づいて説明する。なお、ここでは災害の一例として地震を例にして説明する。
災害検出装置、例えば地震検出装置１と人間検出装置２と建具施錠解錠装置３で建具の錠制御装置を構成している。
前記地震検出装置１は、地震による建物の揺れを感知し、その情報を有する信号を発信する。例えば、設定した大きさ以上の揺れを感知した時に地震検出信号を発信する。この地震検出装置としては加速度センサーが好ましい。
前記人間検出装置２は、建物の内（室内）に人間がいるか、いないかを感知し、その情報を有する信号を発信する。例えば、建物の内に人間がいる場合に人間検出信号を発信する。この人間検出装置２としてはＣＣＤカメラ、人体感知センサ、ＰＦＩＤ等が用いられる。
前記建具施錠解錠装置３は、窓障子、出入口戸などの建物の開口部を開閉する建具を施錠、解錠する錠本体４と、この錠本体４を施錠動作、解錠動作する動作部材５と、この動作部材５に動作指令を出力するコントローラなどの制御判定部６を備えている。
この制御判定部６に前述の地震検出装置１及び人間検出装置２から出力された地震検出信号、人間検出信号が入力され、それらの信号に基づいて動作部材５に施錠信号、解錠信号を出力する。
そして、動作部材５は施錠信号が入力されると錠本体４を施錠動作し、解錠信号が入力されると錠本体４を解錠動作する。
【００１６】
前述の建具施錠解錠装置３としては、ソレノイドに通電することで施錠し、そのソレノイドに通電しないとスプリングで解錠する電気錠と、このソレノイドに通電するコントローラが用いられるが、他のものでも良いことは勿論である。
【００１７】
次に、前述の建具の錠制御装置による解錠、施錠の制御システムの一例を説明する。
図示しない電源（例えば、商用コンセント、電池）から電力を各装置に供給し、一連のシステムを起動させる。
一連のシステムを起動することで人間検出装置２により、日常時においても常に、又は定期的に建物の内に人間がいるかいないかをモニターしている。つまり、建物の内に人間がいる場合には制御判定部６に人間検出信号が入力され、いない場合には入力されない。
前記地震検出装置１が設定した揺れ以上の揺れを検出した場合、つまり、設定した震度以上の地震が発生した場合には地震検出信号を出力する。
この地震検出信号は制御判定部６に入力され、その制御判定部６に人間検出信号が入力されている場合には動作部材５に解錠指令を出力し、動作部材５は錠本体４を解錠動作して建具を解錠状態とする。なお、錠本体４が解錠状態の場合には何もしない。
また、制御判定部６に地震検出信号が入力されても、人間検出信号が入力されていない場合には動作部材５に何らの指令を出力しない。
【００１８】
前述のように制御判定部６が解錠指令を出力して建具が解錠状態となってから、任意の時間が経過したら制御判定部６が動作部材５に施錠指令を出力し錠本体４を施錠動作し、建具を施錠状態とする。
前述の任意の時間は、あらかじめ設定してあることが好ましい。
【００１９】
次に、前述の建具の錠制御装置による解錠・施錠の制御システムの他の例を説明する。
このシステムは、地震時に建具を解錠状態とするまでは前述のシステムと同一である。
【００２０】
そして前述したシステムのように制御判定部６が解錠指令を出力して建具が解錠状態となってから、任意の時間が経過した後、人間検出装置２が建物の内に人間がいることを検出した場合（つまり、制御判定部６に人間検出信号が入力されている場合）には、制御判定部６が動作部材５に施錠指令を出力し錠本体４を施錠動作し、建具を施錠状態とする。なお、人間がいることを検出しない場合には何もせずに錠本体４を解錠のままとする。
すなわち、地震発生時に人間が避難せずに建物の中に居続けた場合や、一度避難した人間が任意の時間が経過後に建物の中に帰ってきた場合等には錠本体４を自動的に施錠動作して建具を施錠状態とする。
【００２１】
また、錠本体４を手動操作によって解錠又は開閉した場合には、前述の任意の時間が経過後に人間検出信号が入力されても錠本体４を施錠動作しないことが好ましい。
つまり、地震検出信号と人間検出信号が制御判定部６に入力されて錠本体４を解錠動作した場合に任意の時間が経過後に後述する手動操作部７からの信号出力がなく、かつ人間検出信号が入力されていたら錠本体４を施錠動作し、それ以外の場合には施錠動作しないことが好ましい。
例えば、図１に示すように手動操作部７から施錠信号、解錠信号を建具施錠解錠装置３に入力することで、人間の意思で錠本体４を施錠、解錠する場合には前述のように錠本体４を自動的に施錠しないようにする。
【００２２】
次に、本発明の第２の実施の形態を図２に基づいて説明する。
この実施の形態は建具の開閉状態を確認する開閉センサー８を設けたことが第１の実施の形態と相違する。
この開閉センサー８は建具を閉じるとＯＮ、開放するとＯＦＦするリミットスイッチや磁気センサー等が用いられ、開信号と閉信号を建具施錠解錠装置３（制御制定部６）に入力する。
この開閉センサー８の開信号が制御判定部６に入力されている時には錠本体４を施錠動作しないと共に、解錠動作しないようにする。更に、手動操作部７による開閉動作状況を開閉センサー８で把握することもできる。
【００２３】
次に、本発明の第３の実施の形態を説明する。
この実施の形態は、建物の内に人間がいるための複数の区画された部分、人間が逃げることが可能な大きさの開口部が複数ある場合についてである。例えば、建物一戸単位の錠制御システムを示す。
図３に示すように、建物１０に災害検出装置として地震検出装置１を取付ける。前記建物１０内には、各部屋や廊下等の人間がいるための部分が区画されて複数有しているが、その少なくとも各部屋、好ましくは建物内全ての人間のいるための部分に人間検出装置２を設置し、少なくとも各部屋、好ましくは各部屋や廊下等の建物内全ての人間のいるための部分に人間がいるか、いないかを検出できるようにする。
前記建物１０には、窓障子１１で開閉される窓１２や出入口戸１３で開閉される出入口１４等の人間が逃げることが可能な大きさで建具で開閉される複数の開口部があり、その各窓障子１１、出入口戸１３をそれぞれ施錠、解錠する前述の建具施錠解錠装置３、開閉センサー８を設ける。
前記地震検出装置１、各人間検出装置２、各開閉センサー８の信号は主コントローラ１５にそれぞれ入力され、この主コントローラ１５で各建具施錠解錠装置３が制御されると共に、音声案内装置１６が作動されることも考えられる。
例えば、前記各建具施錠解錠装置３を錠本体４と動作部材５とし、その各制御判定部６を１つにまとめて主コントローラ１５とする。
【００２４】
次に、図３に示す錠制御装置の動作の一例について説明する。
各人間検出装置２は予め常に、又は一定、又は任意時間ごとに検出作動し、その信号は主コントローラ１５に入力される。そして、主コントローラ１５がどの場所（部屋）に人間がいるかを確認して把握している。例えば、各人間検出装置２と各建具施錠解錠装置３に同一の番号を付して主コントローラ１５が、人間検出信号を出力している人間検出装置２（人間がいる部屋等）を認識できるようにする。
【００２５】
前述の状態で、ある震度の地震が発生した場合、地震検出装置１が地震のゆれを感知し、予め設定した震度以上の揺れであった場合には地震検出信号が主コントローラ１５に入力される。
これによって、主コントローラ１５は前述した人間検出信号を出力した人間検出信号２によって人間がいる場所を認識し、その場所に近い１つ又は複数の開口部、好ましくは一番近くの１つの開口部の建具を制御する建具施錠解錠装置３に解錠指令を出力し、その建具の錠本体４を解錠する。
このとき、主コントローラ１５が開放状態又は解錠状態の建具を認識し、音声案内装置１６が開放状態の建具を案内する。音声案内に限ることはなくモニターに表示して案内するようにしても良い。
【００２６】
前述したように、地震検出信号と人間検出信号によって建具施錠解錠装置３が解錠した後に、任意の時間が経過したら、その解錠されている建具施錠解錠装置３に施錠する信号を出力し、施錠動作する。
【００２７】
次に、図３に示す錠制御装置の動作の他の例を説明する。
この動作は錠本体４を解錠するまでは前述と同様である。
【００２８】
前述したように、地震検出信号と人間検出信号によって建具施錠解錠装置３が解錠した後に、任意の時間が経過したら、主コントローラ１５は人間検出信号が入力されているかをチェックし、人間検出信号が入力されている場合には、その解錠されている建具施錠解錠装置３に施錠する信号待ちを出力し、施錠動作する。
【００２９】
前述の実施形態においては商用コンセントを用いて説明したが、バッテリや燃料電池など、電力を供給できるものであれば、何でも良い。
また、商用コンセントと組み合わせることによって、通常時はバッテリーなどに電力を蓄えておき、商用コンセントからの電力が供給されなくなったとき（コードの切断等）があった場合はバッテリーに切り替えることもできる。
また、人間検出装置２はサーモセンサーや最近開発が進んでいる顔の識別を認識するセンサーであることが好ましい。そのようなセンサーを用いることで、人間が動いていない場合（寝ている場合など）でも人間がいるかいないかを感知することが可能となる。
【００３０】
また、前述の説明では災害を地震として説明したが、災害は地震に限ることはなく、火災や洪水、その他予期せぬ緊急事態が発生した場合等が災害である。
【図面の簡単な説明】
【００３１】
【図１】本発明の第１の実施の形態を示す模式的説明図である。
【図２】本発明の第２の実施の形態を示す模式的説明図である。
【図３】本発明の第３の実施の形態を示す模式的説明図である。
【符号の説明】
【００３２】
１…地震検出装置（災害検出装置）、２…人間検出装置、３…建具施錠解錠装置、４…錠本体、５…動作部材、６…制御判定部、８…開閉センサー、１０…建物、１１…窓障子、１２…開口部、１３…出入口戸、１４…開口部、１５…主コントローラ、１６…音声案内装置。
【図１】
2006070644.tif 000003
【図２】
2006070644.tif 000004
【図３】
2006070644.tif 000005